(57)【要約】  本出願は、埋め込み型心臓補助ポンプ用の外部駆動ユニット（７）に関する。提案された駆動ユニット（７）は、心臓補助ポンプを駆動するためのモータ（３５）を含み、モータ（３５）は経皮駆動シャフト（３）を介して心臓補助ポンプに接続可能である。駆動ユニット（７）は、患者の皮膚に接触、及び／又は直接接触、及び／又は平らに置かれるように構成された接触面を備えるヒートスプレッダ（１９）を更に含む。接触面は熱伝導方法でモータ（３５）に接続され、又は接続可能であり、モータ（３５）によって発生された熱を患者の組織に伝達する。
2020512899.tif 000002
【特許請求の範囲】
【請求項１】
埋め込み型心臓補助ポンプ（４）用の外部駆動ユニット（７）であって、
前記心臓補助ポンプを駆動するためのモータ（３５）を含み、前記モータ（３５）は経皮駆動シャフト（３）を介して前記心臓補助ポンプ（４）に接続可能であり、
患者の皮膚に接触するように構成された接触面を備えるヒートスプレッダ（１９）によって特徴付けられ、前記接触面は熱伝導方法で前記モータ（３５）に接続され、又は接続可能であり、前記モータ（３５）によって発生された熱を前記患者の組織に伝達する、外部駆動ユニット（７）。
【請求項２】
前記接触面の表面積が少なくとも２５ｃｍ２、好ましくは少なくとも５０ｃｍ２であることを特徴とする、請求項１に記載の駆動ユニット（７）
【請求項３】
前記ヒートスプレッダ（１９）は少なくとも領域において可撓性であることを特徴とする、請求項１又は２のいずれか１項に記載の駆動ユニット（７）。
【請求項４】
前記ヒートスプレッダ（１９）は薄片又はパッチであることを特徴とする、請求項１〜３のいずれか１項に記載の駆動ユニット（７）。
【請求項５】
前記ヒートスプレッダ（１９）は熱伝導層（３１）を含み、前記熱伝導層（３１）は金属、特に銅、アルミニウム、及び／又は熱分解カーボンを含むことを特徴とする、請求項１〜４のいずれか１項に記載の駆動ユニット（７）。
【請求項６】
前記ヒートスプレッダ（１９）は生体適合性コーティング（３２）を含むことを特徴とする、請求項１〜５のいずれか１項に記載の駆動ユニット（７）。
【請求項７】
前記ヒートスプレッダ（１９）は前記皮膚に前記ヒートスプレッダ（１９）を取り付けるための接着面を含むことを特徴とする、請求項１〜６のいずれか１項に記載の駆動ユニット（７）。
【請求項８】
前記ヒートスプレッダ（１９）は、開口部（２０、２０’）又は凹部を含み、皮膚からの汗の蒸発を可能にすることを特徴とする、請求項１〜７のいずれか１項に記載の駆動ユニット（７）。
【請求項９】
前記開口部（２０、２０’）は細長いことを特徴とする、請求項８に記載の駆動ユニット（７）。
【請求項１０】
前記ヒートスプレッダ（１９）は汗吸収材料（３４）、特に織物を含むことを特徴とする、請求項１〜９のいずれか１項に記載の駆動ユニット（７）。
【請求項１１】
前記モータ（３５）はステータ（３７）と前記駆動シャフト（３）に接続可能な回転可能に取り付けられたロータ（３６）とを含み、流体ギャップ（４３）は前記ロータ（３６）と前記ステータ（３７）との間に形成され、前記流体ギャップ（４３）はパージ媒体を前記流体ギャップ（４３）の中に注入するためのパージ開口部（４２）と流体接続することを特徴とする、請求項１〜１０のいずれか１項に記載の駆動ユニット（７）。
【請求項１２】
前記流体ギャップ（４３）の幅は最大１ｍｍであることを特徴とする、請求項１１に記載の駆動ユニット（７）。
【請求項１３】
前記流体ギャップ（４３）の幅は少なくとも０．１ｍｍであることを特徴とする、請求項１１又は１２のいずれか１項に記載の駆動ユニット（７）。
【請求項１４】
前記ヒートスプレッダ（１９）はヒートパイプを含むことを特徴とする、請求項１〜１３のいずれか１項に記載の駆動ユニット（７）。
【請求項１５】
請求項１〜１４のいずれか１項に記載の前記駆動ユニット（７）及び前記埋め込み型心臓補助ポンプ（４）を含む、心臓補助装置（１）。
【発明の詳細な説明】
【技術分野】
【０００１】
本出願は、医療技術の分野に関する。本出願は、埋め込み型心臓補助ポンプ用の外部駆動ユニット、及び駆動ユニットと埋め込み型心臓補助ポンプとを備える心臓補助装置に関する。更に本出願は、心臓補助装置の動作の方法に関する。
【背景技術】
【０００２】
患者の心臓機能を支援するための心臓補助装置は、技術水準から知られている。このような装置は、埋め込み型血液ポンプを含んでもよく、それは最小侵襲性手段によって心臓の心室に挿入され得る。更に、外部（又は体外）モータは血液ポンプを駆動するために供給されてもよい。モータは、経皮カテーテルの内側に回転可能に取り付けられた経皮かつ可撓性駆動シャフトを介して血液ポンプに接続されてもよい。装置の埋め込み型構成要素は、患者の鼠径部の穿刺部位を介して挿入され得る。関連する装置は、例えば特許文献１に記載される。
【０００３】
このような心臓補助装置の場合、外部モータによって放散される熱に関連して問題が生じることがある。用途によっては、モータは患者の体の近く、特に患者の脚部の近くに配置される場合があり、その間、血液ポンプは動作中である。モータによって発生された熱が効果的に除去されないと、モータは過熱し、モータの誤動作を引き起こす場合がある。加えて、モータの過熱は、モータの熱い筐体が患者の皮膚に接触したとき、特に患者が、例えば麻酔薬のために熱に気付くことができず、適切な反応ができない場合に、患者への健康リスクとなる。人間の皮膚による安全な熱吸収量は、超音波及び磁気共鳴画像プローブによって発生された熱のコンテキストで研究されている。例えば、非特許文献１では、安全な熱吸収レベルを決定する方法が説明される。
【０００４】
心臓補助装置のモータが過熱するのを防ぐために、このようなモータの筐体に多数の冷却フィンを配設し、モータから熱を効果的に引き出して周囲空気に放散させることができる。しかし、空気に伝達可能な熱の量は、モータが密閉環境で動作される場合、例えば、患者が休んでいる羽毛布団の下、又は手術中の外科用ドレープの下などでは、十分でない場合がある。更に、冷却フィン付きの筐体の表面は洗浄が困難な場合がある。
【０００５】
特許文献２は、ステータアセンブリとステータアセンブリの周りに配置された熱交換器とを含むモータアセンブリを備えたカテーテルポンプを開示する。熱交換器は、熱をステータアセンブリから半径方向外側に向けるように構成され、管腔を有する管状体を含んでもよい。患者から熱を逃がすために、流体が管腔を通過する。ステータアセンブリと外部モータ筐体との間のギャップは、ステータアセンブリからの熱が筐体の側面から伝達されるのを防ぐ自然な断熱材として機能する。
【先行技術文献】
【特許文献】
【０００６】
【特許文献１】米国特許第８，４８９，１９０号明細書
【特許文献２】米国特許出願公開第２０１６／０２１３８２７号明細書
【非特許文献】
【０００７】
【非特許文献１】「Ｈｕｍａｎ  Ｓｋｉｎ  Ｔｅｍｐｅｒａｔｕｒｅ  Ｒｅｓｐｏｎｓｅ  ｔｏ  Ａｂｓｏｒｂｅｄ  Ｔｈｅｒｍａｌ  Ｐｏｗｅｒ」（ＳＰＩＥ  Ｐｒｏｃｅｅｄｉｎｇｓ−Ｔｈｅ  Ｉｎｔｅｒｎａｔｉｏｎａｌ  Ｓｏｃｉｅｔｙ  ｆｏｒ  Ｏｐｔｉｃａｌ  Ｅｎｇｉｎｅｅｒｉｎｇ  ３０３７：１２９−１３４、１９９７年３月）
【発明の概要】
【発明が解決しようとする課題】
【０００８】
前述の技術水準を考慮して、本出願の目的は、埋め込み型心臓補助ポンプ用の改善された外部駆動ユニット及び改善された心臓補助装置を提供することである。更に、本出願は、心臓補助装置の改善された動作の方法に関する。特に、本出願の目的は、心臓補助装置の安全かつ効率的な動作を可能にすることである。
【課題を解決するための手段】
【０００９】
これらの目的は、独立請求項１の機能を備えた外部駆動ユニットによって、かつ対応する方法によって達成される。必要に応じた更なる機能及び更なる発展は、従属請求項及び添付図面と併せた詳細な説明から明らかになるであろう。
【００１０】
埋め込み型心臓補助ポンプ用の提案された外部（体外）駆動ユニットは、心臓補助ポンプを駆動するモータを含み、モータは経皮駆動シャフトを介して心臓補助ポンプに接続可能、又は接続される。駆動ユニットは、患者の皮膚に接触し、及び／又は直接接触し、及び／又は平らに置かれるように構成された接触面を備えるヒートスプレッダを更に含む。接触面は、熱伝導方法でモータに接続され、又は接続可能であり、モータによって発生された熱を患者の組織に伝達する。
【００１１】
請求された駆動ユニットは、特許文献２で議論されるように、心臓補助ポンプのモータからの効率的な熱除去が患者から離れて生じなければならないという技術水準の一般的な信念に反する解決策を提供する。代わりに、提案された駆動ユニットの効率的な熱除去は、患者の組織への熱伝達によって達成される。したがって、心臓補助ポンプの動作中、熱がモータからヒートスプレッダの接触面に伝達される。モータと接触面との間の熱接触の熱コンダクタンスは十分に大きくてもよく、モータによって発生された熱をヒートスプレッダを介して患者の組織に伝達できる。
【００１２】
接触面は平らであっても、湾曲していてもよい。典型的な実施形態では、接触面は無段である。好ましい実施形態では、接触面は可撓性であり、組織への接触を最大にする。接触面は、モータから組織への熱伝達のために配設される。全接触面は、駆動ユニットの使用中に皮膚と接触してもよい。駆動ユニットは、患者の皮膚に接触するように設計された駆動ユニットのすべての領域の全体によって形成された底面を更に含んでもよい。接触面は通常、底面の一部分を形成する。しかしながら、いくつかの実施形態では、接触面は底面全体を形成する。
【００１３】
本出願は更に、上記又は下記の駆動ユニットを含み、埋め込み型心臓補助ポンプを更に含む心臓補助装置に関する。心臓補助装置は、経皮駆動シャフトを更に含んでもよい。心臓補助ポンプは、駆動シャフトを介して駆動ユニットに接続されてもよく、例えば分離不能に接続されてもよい。別の実施形態では、駆動ユニットは、カップリングを介して、例えば磁気クラッチを介して駆動シャフトに接続されてもよい。
【００１４】
加えて、本出願は、心臓補助装置の動作の方法に関する。この方法では、駆動ユニットは心臓補助ポンプを駆動し、ヒートスプレッダの接触面は、患者の皮膚に接触し、及び／又は直接接触し、及び／又は平らに置かれ、その結果、モータによって発生された熱は患者の組織に伝達される。ほとんどの実施形態では、ヒートスプレッダの接触面は、患者の皮膚に直接接触する。しかしながら、場合によっては、例えば患者の衣服の部分などの別の材料が皮膚と接触面との間に配置されてもよい。
【００１５】
モータは、通常、筐体を含み、ヒートスプレッダは、モータの筐体に取り付けられ得る。典型的な実施形態では、モータの筐体は、駆動ユニットが組み立てられたときに少なくとも部分的に見える外部筐体である。ヒートスプレッダは、モータの筐体の外側に配置されてもよい。ヒートスプレッダは、モータから患者の組織への熱伝導を可能にするように構成される。ほとんどの実施形態では、ヒートスプレッダは、電気エネルギーの供給を必要としない受動構成要素である。更に、ヒートスプレッダは、ほとんどの実施形態において、可動部品及び／又は可動流体に依存しない。ヒートスプレッダは、モータの筐体に剛性又は移動可能に接続され得る。いくつかの実施形態では、ヒートスプレッダは、筐体に取り外し可能に接続される。例えば、ヒートスプレッダを外した状態でカテーテル検査室において心臓補助ポンプを埋め込むことが便利な場合がある。モータ筐体は、この状況では心臓補助装置のハンドルとして機能してもよい。埋め込み手順の後、モータ筐体をヒートスプレッダに接続してもよく、その結果、モータによって発生された熱が患者の組織に効率的に伝達され得る。
【００１６】
駆動ユニットは、駆動ユニットを患者の大腿部に取り付けるように構成された保持手段を含んでもよい。心臓補助装置が使用される場合、典型的な適用シナリオでは、少なくとも駆動ユニットの底面が患者の皮膚と接触するようになる。次いで、更に接触面は皮膚と接触するようになってもよい。その後、提案された駆動ユニットは、モータの動作中、モータから熱を効率的に除去することを可能にする。それにより、モータの過熱が発生するのを防ぐことができる。
【００１７】
典型的な実施形態では、冷却フィンは不要である。したがって、提案された駆動ユニットは、比較的コンパクトに設計することができ、これにより、駆動ユニットの取り付けの容易さ及び駆動ユニットの装着の快適さが向上する。更に、モータから除去される熱の量は予測可能であり、大気の温度又は大気の流量に強く依存しない。したがって、駆動ユニットの熱管理は信頼性の高い方法で制御され得る。更に、冷却フィンが不要であるため、筐体は、部分的又は完全に連続的及び／又は無段の表面を有してもよい。したがって、駆動ユニットの洗浄は簡単であり得る。
【００１８】
したがって、駆動ユニットは異なる適用シナリオで有益に使用され得る。
【００１９】
第１の、カテーテル検査室での心臓補助装置の埋め込み中、ドレープの下の領域は非滅菌とみなされる可能性があるため、モータは滅菌ドレープの上に置かれてもよい。この状況では、モータの周りの空気の対流が可能になり、過熱のリスクが低減される。更に、患者がモータに意図せず接触する可能性は低く、ユーザ（医師）とモータの接触は、通常は手袋を用いて生じる。したがって、モータの許容温度は、以下で説明する第２の適用シナリオよりも高くなる。更に、駆動ユニットの汚染のリスクは、ユーザが汚染された、特に血液で汚れた手袋でモータに触れる可能性があるため、比較的高い。
【００２０】
第２の、患者の搬送中又は集中治療室において、ポンプが患者の体内でその位置を保つことが特に重要である。この状況では、モータはその重量のため、穿刺部位に対して確実に固定される必要がある。この目的のために、モータは通常、毛布又は羽毛布団の下に置かれる。したがって、対流によるモータからの熱伝達は効率的ではなく、動作中のモータの過熱のリスクを考慮する必要がある。更に、このシナリオでは、患者がポンプに直接接触する可能性がある。したがって、モータから患者の組織への効率的な熱伝達は、提案された駆動ユニットによって確実にされる場合、非常に有益である。更に、長時間の使用後はモータの洗浄が必要になる可能性があるため、提案された駆動ユニットで得られる表面形状は、例えば、冷却フィンを含む当技術分野で既知のヒートシンクの設計と比較して有益である。
【００２１】
ヒートスプレッダの接触面の表面積は、モータの筐体の表面の表面積より大きくてもよい。筐体の表面は、患者に面する筐体の表面であってもよい。ヒートスプレッダは、モータの筐体を越えて延びるようなサイズにし得る。いくつかの実施形態において、接触面の表面積は少なくとも２５ｃｍ２、好ましくは少なくとも５０ｃｍ２又は少なくとも１００ｃｍ２である。通常、表面積は４００ｃｍ２未満である。十分に大きい表面積は、モータから患者の組織への熱の効率的な伝達を可能にするのに必要である。更に、十分に大きい表面積は、組織の局所的な過熱及び組織への損傷の発生を防ぐため重要である。患者の組織に伝達される熱の量は、通常、接触面の表面積の最大８０ｍＷ／ｃｍ２、好ましくは最大６０ｍＷ／ｃｍ２又は最大４０ｍＷ／ｃｍ２である。更に、表面積は、駆動ユニットの熱管理を設計する際の重要要素を構成し、モータを所望の温度で動作させることができる。ほとんどの実施形態では、駆動ユニットの動作中、接触面の表面積とモータによって放散される熱の比は、少なくとも１３ｃｍ２／Ｗ、好ましくは２５ｃｍ２／Ｗ、特に好ましくは５０ｃｍ２／Ｗであり、組織の局所的な過熱を回避する。
【００２２】
ヒートスプレッダは、少なくとも領域において可撓性であってもよい。それにより、接触面は、皮膚の起伏のある表面に適合し得る。例えば、接触面は、駆動ユニットが患者の大腿部に取り付けられる場合、大腿部の形状に適合し得る。これにより、駆動ユニットの装着の快適さが改善され得て、ヒートスプレッダと患者の皮膚との間の熱接触が確保され得る。ヒートスプレッダは、ヒートスプレッダのすべての領域で可撓性であり得る。
【００２３】
組織に伝達された熱は通常、治療目的には役立たない。モータから患者の組織への熱の効率的な伝達を可能にするために、熱交換器は、熱伝導率が比較的高い材料の少なくとも一部分を含んでもよい。この領域は、接触面上に完全に広がってもよい。この領域の熱伝導率は、少なくとも１Ｗ／（ｍ・Ｋ）、好ましくは少なくとも１０Ｗ／（ｍ・Ｋ）、少なくとも５０Ｗ／（ｍ・Ｋ）、又は少なくとも１００Ｗ／（ｍ・Ｋ）であってもよい。好ましい実施形態では、ヒートスプレッダの熱伝導率は、ヒートスプレッダの接触面に平行な方向の方が接触面に垂直な方向よりも高く、熱エネルギーが表面全体に広く行き渡ることを確実にし、ホットスポットを回避する。
【００２４】
モータから患者の組織への安全かつ効率的な熱伝達のためには、表面積にわたる熱の分散が最も重要であるため、駆動ユニットの重量と必要な材料の量は、ヒートスプレッダを平らな形状であるように設計することにより低減され得る。したがって、ヒートスプレッダは、２ｃｍ未満、特に１ｃｍ未満又は０．５ｃｍ未満の厚さを備えてもよい。例えば、ヒートスプレッダは薄片であってもよい。
【００２５】
ヒートスプレッダは熱伝導層を含んでもよい。熱伝導層は、接触面の領域にわたる熱の迅速かつ効率的な伝達を可能にし得て、その結果、皮膚のホットスポットが回避される。ヒートスプレッダは、キャリア層を更に含んでもよい。キャリア層は、熱伝導層よりも低い熱伝導率を有し得る。キャリア層は、エラストマ及び／又はプラスチックを含んでもよい。このように、熱伝導層、特に比較的薄い及び／又は可撓性層は、熱の十分な伝達を可能にすることができ、一方、キャリア層はヒートスプレッダの十分な機械的安定性を提供し得る。熱伝導層は、金属、特に銅、アルミニウム、及び／又は熱分解カーボンを含んでもよい。いくつかの実施形態では、ヒートスプレッダは複数の熱伝導層を含んでもよい。
【００２６】
加えて、ヒートスプレッダは生体適合性コーティングを含んでもよい。例えば、ヒートスプレッダの接触面は生体適合性コーティングを含んでもよい。コーティングは、ヒートスプレッダの底面の一部分を形成してもよく、又はヒートスプレッダの底面を完全に形成してもよい。コーティングは、熱伝導層を覆い、及び／又は包囲し得る。特に、ヒートスプレッダ又はその熱伝導層が、汗に可溶性であり得る有害物質を含む場合、コーティングが施されてもよい。その後、コーティングにより、有害物質が患者の皮膚に到達するのを防止し得る。例えば、生体適合性コーティングは、パリレン、ポリウレタン、シリコーン、ＰＥＥＫ、又は生体適合性、例えば埋め込み可能な金属を含んでもよい。生体適合性コーティングは、２ｍｍ未満、好ましくは０．５ｍｍ未満又は０．１ｍｍ未満の厚さを有し得る。生体適合性コーティングは、生体適合性キャリアを構築するキャリア材料と同一であってもよい。
【００２７】
更に、モータ及び／又はモータ筐体は細長くてもよい。モータは細長くされ得て、モータ及び／又はモータ筐体の伸長方向は、駆動ユニットが患者の大腿部に取り付けられたときの大腿部の軸方向と一致する。保持手段は、通常、モータの筐体に接続される。駆動ユニットの保持手段は、ストラップ及び／又は面ファスナ手段を含んでもよい。保持手段は、接着剤を更に含み得る。大腿部への駆動ユニットの接着取り付けにより、穿刺部位に対する駆動ユニットの特に確実な固定が可能になる。特に、駆動ユニットが患者の大腿部に取り付けられるとき、接着固定は効果的な保持手段を形成することができ、駆動ユニットが大腿部のテーパー部分を膝に向かって滑り落ちるのを防ぐ。例えば、穿刺部位にかかる機械的負荷は、示唆された保持手段により低減され得る。いくつかの実施形態では、ヒートスプレッダは、ヒートスプレッダを皮膚に取り付けるための接着面を含む。例えば、ヒートスプレッダは接着パッチによって形成されてもよい。この実施形態によると、モータによって発生された熱は、パッチを介して患者の組織に伝達され得る。パッチの熱コンダクタンスは十分に大きくてもよく、熱が組織に効率的に伝達される。接着面は、接触面の一部分及び／又は接触面全体を形成してもよい。接着剤は、例えば接着性創傷閉鎖パッチから既知である生体適合性接着剤であってもよい。
【００２８】
更に、駆動ユニットは固定の手段を含み、駆動ユニットが患者の皮膚上の異なる位置へ移動するのを防止し得る。例えば、固定の手段はゴム引き領域を含んでもよい。駆動ユニットの底面は、塊を更に含んでもよい。
【００２９】
ヒートスプレッダは、開口部又は凹部、特に貫通穴又は溝を含み得て、皮膚からの汗の蒸発を可能にする。開口部又は凹部は、接触面に隣接して少なくとも部分的に配置されてもよい。典型的な実施形態では、ヒートスプレッダは、少なくとも３つ、少なくとも５つ、又は少なくとも８つの開口部又は凹部を含む。モータの動作中、患者の組織に伝わる熱により、患者の発汗が促進される場合がある。したがって、開口部又は凹部は、駆動ユニットの装着の快適さを著しく改善し得る。大気への蒸気の効率的な移動を達成するために、開口部又は凹部の最小又は均一な直径は通常、少なくとも１ｍｍ又は少なくとも５ｍｍである。開口部又は凹部の最大又は均一な直径は、通常最大で２０ｍｍ又は８０ｍｍである。
【００３０】
いくつかの実施形態では、開口部は細長い。最大直径と最小直径の比は、少なくとも１．２又は少なくとも２である。このようにして、汗を（蒸気の形態で）体から大気に効率的に移動させることができ、一方でヒートスプレッダでの十分な機械的安定性と効率的な２次元熱伝導が確保される。例えば、開口部は細長くてもよく、その結果、開口部は、駆動ユニットが患者の大腿部に取り付けられたときに、大腿部の円周方向でより大きな直径を示し、かつ大腿部の軸方向でより小さな直径を示す。モータが軸方向に細長い場合、穴の伸長により熱を円周方向に効率的に伝達することができ、一方、蒸気は皮膚から効率的に除去される。
【００３１】
いくつかの実施形態では、ヒートスプレッダは、気化した汗が皮膚から大気に移動することを可能にする細孔を含む。ヒートスプレッダは、細孔を備えた膜を含んでもよい。細孔は、少なくとも０．０２μｍ及び／又は最大０．３μｍの直径を有してもよい。
【００３２】
ヒートスプレッダは、汗吸収材料、特に織物又は綿を含み得る。汗吸収材料は、ヒートスプレッダの底面の一部分を形成してもよい。汗吸収材料は、患者の皮膚から汗を吸収し、したがって、駆動ユニットの装着の快適さを改善し得る。
【００３３】
いくつかの実施形態では、ヒートスプレッダはヒートパイプを含む。ヒートパイプは平らであり得る。例えば、ヒートパイプは熱拡散器であってもよい。通常、ヒートパイプの底面は患者の皮膚に接触する。別の実施形態では、ヒートパイプは、モータとヒートスプレッダの間に配置され、それらに接続されてもよい。ヒートパイプの上面は、モータと熱接触してもよい。ヒートパイプは、モータから組織又は接触面への効率的な熱伝達を可能にし得る。
【００３４】
モータは、ステータとロータを含む。ロータは、通常、磁石、特に永久磁石を含む。ステータは、多数の巻線を含んでもよい。ステータは、通常、ロータを取り囲み、磁気ギャップがロータの磁石とステータの巻線との間に形成される。ロータは回転可能に取り付けられてもよい。モータは更に、駆動シャフトに取り付け可能であるか、又は取り付けられてもよい。いくつかの実施形態では、流体ギャップは、ロータとステータとの間に形成される。流体ギャップは、パージ開口部と流体接続され得て、パージ媒体を流体ギャップに注入する。パージ媒体は、溶液、例えばグルコース溶液又は生理食塩水であってもよい。典型的には、心臓補助装置は、駆動シャフトを取り囲むカテーテルを含む。パージ媒体は、流体ギャップの中、カテーテルの管腔の中、例えばカテーテルと駆動シャフトとの間の空間の中に注入されてもよい。モータの流体ギャップは通常、カテーテルの管腔と、又はカテーテルと駆動シャフトとの間の空間と流体接続する。したがって、モータはパージされたモータであってもよい。心臓補助装置及び／又は駆動ユニットは、流体コンベヤ、例えばポンプを含んでもよく、それはパージ媒体が流体ギャップ内の遠位方向へ流れるのを可能にする。
【００３５】
パージされていないモータを使用するとき、モータをカテーテルと駆動シャフトとの間の空間から分離するためにシールが必要な場合があり、これは、空気が空間の中に入り、最終的に患者に入るのを回避する。パージされたモータの使用では、カテーテルと駆動シャフトとの間の空間からモータを分離する複雑なシールが不要になるという利点がある。したがって、モータはより簡単に製造でき、摩擦損失を低減でき、その結果、モータをより効率的に動作させ得る。しかし、パージ媒体の摩擦損失は、パージされていないモータと比較して、パージされたモータの効率の低下をもたらすことが予想される場合がある。驚くべきことに、下記の特徴のいずれか１つによって、及びこれらの特徴の組み合わせによって、モータの不利な低効率が回避され得る。
【００３６】
流体ギャップの幅は、少なくとも０．１ｍｍ、好ましくは少なくとも０．２ｍｍ、及び／又は最大１ｍｍ、好ましくは最大０．５又は最大０．３ｍｍであってもよい。磁気ギャップの最小サイズは、流体ギャップのサイズによって制限されることを考慮する必要がある。典型的には、ロータ及び／又はステータは、流体ギャップを区切り得るスリーブ又はコーティングを含む。流体ギャップの境界面は、平滑及び／又は無段であってもよく、アンダーカット面を避けて、確実な通気プロセスを確保してもよい。これにより、ロータ磁石及び／又はステータ巻線は、パージ媒体の腐食作用から保護され得る。結果として、磁気ギャップは通常、流体ギャップよりも大きい。磁気損失は、流体（及び磁気）ギャップの幅の増加とともに増加すると予想されるが、驚くべきことに、流体ギャップの幅が比較的大きいと、モータの効率が全体的に向上することが見出された。この改善は、パージ媒体の摩擦損失の減少に関連する。
【００３７】
上記で説明したように、提案された駆動ユニットにより、様々な適用シナリオでモータの熱管理を正確に制御することが可能である。特に、流体ギャップ内のパージ媒体の温度は正確に制御可能であり得る。典型的な実施形態では、流体ギャップ内のパージ媒体の温度は、定常動作状態で少なくとも５０℃、好ましくは少なくとも６０℃である。更に、流体ギャップ内のパージ媒体の温度は、定常動作状態で最大１００℃、好ましくは最大９０℃である。それに従ってパージ媒体の温度を制御することにより、パージ媒体の粘度は下げられてもよく、同時にパージ媒体の温度は患者にとって安全に維持され得て、パージ媒体は沸騰するのを防止される。したがって、モータは、パージ媒体の温度を制御することにより、特に効率的な方法で動作させることができ、流体の摩擦損失は低下する。
【００３８】
パージ流体の温度を正確に制御するために、流体ギャップと患者の皮膚との間の熱伝達を分析し、調整する必要がある。例えば、流体ギャップからヒートスプレッダへの熱伝達は、モータの筐体の材料によって影響を受ける場合がある。筐体は、ＰＥＥＫ又はＡＢＳなどのプラスチック材料が含有されるか、又はそれで作られてもよい。プラスチック材料は、所望の温度範囲でモータを動作可能にするのに特に適している。いくつかの実施形態では、モータの筐体は、駆動ユニットのハンドルとして使用され得るように成形される。
【００３９】
以下の態様により、駆動ユニットは、上記又は下記のようなヒートスプレッダを含まなくてもよく、及び／又は駆動ユニットは、患者の皮膚と接触させなくてもよいヒートスプレッダを含む。モータからの熱除去の手段は、例えば、上記又は下記で説明するヒートスプレッダによって、モータの筐体に取り付けられた冷却フィンによって、又は熱伝導方法でモータに接続されたヒートパイプによって形成されてもよい。更なる実施形態は、態様を互いに組み合わせて、及び／又は上記又は下記の説明と組み合わせることで明らかになる。
【００４０】
特に、本出願は、とりわけ、更に以下の態様に関する。
【００４１】
１．外部駆動ユニットと埋め込み型心臓補助ポンプとを含む心臓補助装置の動作の方法であって、駆動ユニットは心臓補助ポンプを駆動するモータを含み、モータは心臓補助ポンプに経皮駆動シャフトを介して接続され、モータはステータと、駆動シャフトに接続可能な回転可能に取り付けられたロータとを備え、流体ギャップはロータとステータとの間に形成され、流体ギャップはパージ開口部と流体接続して、パージ媒体を流体ギャップに注入し、心臓補助装置は駆動シャフトを取り囲むカテーテルを含み、パージ媒体は流体ギャップの中、及びカテーテルと駆動シャフトの間の空間の中に注入される、方法。
【００４２】
２．流体ギャップ内のパージ媒体の温度は定常動作状態で少なくとも５０℃、好ましくは少なくとも６０℃である、態様１の方法。
【００４３】
３．流体ギャップ内のパージ媒体の温度は定常動作状態において、最大で１００℃、好ましくは最大で９０℃である、態様１と２のいずれか１つの方法。
【００４４】
４．パージ媒体はグルコース溶液又は生理食塩水である、態様１〜３のいずれか１つの方法。
【００４５】
５．心臓補助ポンプを駆動するモータを含む埋め込み型心臓補助ポンプ用の外部駆動ユニットであって、モータは経皮駆動シャフトを介して心臓補助ポンプに接続可能又は接続され、駆動ユニットは熱伝導方法でモータに接続されたヒートパイプを含む、外部駆動ユニット。
【００４６】
６．駆動ユニットはモータ筐体を含み、ヒートパイプは熱伝導方法で筐体に接続される、態様５の駆動ユニット。
【００４７】
７．態様５又は６のいずれか１つの駆動ユニットを含み、更にヒートシンクを備えたコンソール又はコントローラユニットを含む心臓補助システムであって、ヒートパイプの一部分は熱伝導方法でヒートシンクと接続されてモータから熱を除去する、心臓補助システム。
【図面の簡単な説明】
【００４８】
例示的な実施形態は、以下の図面と併せて説明される。
【図１】埋め込まれた心臓補助ポンプと体外駆動ユニットを備えた心臓補助装置を示す概略図である。
【図２】駆動ユニットを示す概略図である。
【図３】駆動ユニットを示す別の概略図である。
【図４】駆動ユニットを示す別の概略図である。
【図５】ヒートスプレッダとモータ筐体を示す概略断面図である。
【図６】ヒートスプレッダを示す概略断面図である。
【図７】モータ筐体とモータを示す概略断面図である。
【発明を実施するための形態】
【００４９】
心臓補助装置１の概略図を図１に示す。心臓補助装置１はカテーテル２を含む。可撓性駆動シャフト３はカテーテル２の内側に誘導される。カテーテル２の遠位端部及び駆動シャフト３の遠位端部は、心臓補助ポンプ４のポンプ頭部と接続される。心臓補助ポンプ４は、筐体５及びプロペラ６を含む。プロペラ６は、駆動シャフト３の遠位端部に接続される。駆動シャフト３の近位端部は、モータを含む体外駆動ユニット７に接続される。駆動ユニット７は、プロペラの回転運動を駆動して患者の血液を動かすように構成される。
【００５０】
心臓補助ポンプ４とカテーテル２及び駆動シャフト３は、患者の大腿動脈へ、患者の鼠径部に位置する穿刺部位８を介して挿入される。図示の配置は、心臓の左心室機能を支援するための心臓補助装置１の使用を示し、心臓補助ポンプ４は大動脈弁１１の領域で患者の左心室１０の内側に部分的に配置される。心臓補助装置１が動作すると、駆動シャフト３は駆動ユニット７のモータによって駆動され、心臓補助装置１は血液を左心室１０から大動脈１２の中へ、すなわち心臓補助装置１の遠位端部１３から近位端部１４に向かう方向に運ぶ。別の実施形態では、心臓補助装置１は、心臓補助装置１の近位端部１４から遠位端部１３に向かう方向に血液を運ぶように構成されてもよい。このような配置は、心臓の右心室機能を支援するのに特に適する。
【００５１】
駆動ユニット７は、図２に概略的に示されるように、患者の大腿部１５に取り付けられ得る。図２及び後続の図における繰り返しの特徴は、同じ参照番号を使用して示される。図示された実施形態では、駆動ユニット７は、ストラップ１６、例えば弾性ストラップによって穿刺部位８に対して所定の位置に保持される。ほとんどの実施形態では、ストラップの長さは４５〜６０ｃｍである。しかし、以下で説明するように、別の固定の手段も可能である。モータは、例えば射出成形されたＡＢＳ部品によって形成されたモータ筐体１７の内側に配置される。モータ筐体１７の表面は、ほとんどの実施形態において平滑で無段であるため、筐体１７は洗浄が容易であり、心臓補助装置１のハンドルとして機能し得る。カテーテル２は、モータ筐体１７の近位端部に液密方法で剛性接続される。更に、供給ライン１８は図に概略的に示される。供給ライン１８は、モータ筐体１７の近位端部に接続され、モータ用の電力供給ライン及びパージ媒体用の流体供給ラインを含む。別の実施形態では、流体供給ラインと電力供給ラインとは各々、複数の別個の供給ラインのうちの１つの内側に誘導される。
【００５２】
駆動ユニット７は、ヒートスプレッダ１９を更に含む。ヒートスプレッダ１９は、モータ筐体１７に剛性接続され、動作中にモータによって発生された熱がヒートスプレッダ１９に伝達される。ヒートスプレッダ１９は、薄く、４ｍｍ以下の厚さである。例えば、ヒートスプレッダ１９は、以下で説明するパッチによって、又は平らな２次元ヒートパイプによって形成されてもよい。ヒートスプレッダ１９の底面は、接触面で患者の皮膚に対して平らに置かれ、皮膚に直接接触し、その結果、熱はヒートスプレッダ１９から患者の組織に伝達され得る。モータの動作中、筐体１７の外面の温度は、ヒートスプレッダ１９を大腿部１５に固定する前に４３℃を超える場合がある。しかし、ヒートスプレッダ１９の熱伝導率は、熱が十分な領域に均等に分散されて大腿部１５に伝達されることを確実にし、その結果、筐体１７の表面の温度は、組織を損傷する臨界温度を定義する４２℃の温度下に急速に低下する。
【００５３】
ヒートスプレッダ１９は、１００Ｗ／（ｍ・Ｋ）を超える熱伝導率を有する領域を含んで、熱を横方向に広げ、その結果、熱は接触面全体に効率的に伝達される。接触面の表面積は、いくつかの実施形態では、２００ｃｍ２程度に大きくてもよい。ヒートスプレッダ１９は、開口部（貫通穴）を更に含み、そのうちの２つは参照番号２０と２０’を用いて示される。開口部２０、２０’は、気化した汗を大気に移すことを可能にし、したがって、装着の快適さを向上させる。
【００５４】
駆動ユニット７の斜視図を図３に示す。図示の実施形態では、ヒートスプレッダ１９は、モータの筐体１７を受け入れる凹部２２を有する。ストラップ１６は、ループ面２３を備える面ファスナ機構を含み、ストラップの端部分に配置され、図には示されていない対応するフック面に係合する。心臓補助装置１が使用中の場合、モータ筐体１７は凹部２２に受け入れられ、ストラップ１６は大腿部の周りに円周方向に巻き付けられ、その結果、モータ筐体１７はストラップ１６の一部分によって覆われ、駆動ユニット７は所定の位置に保持される。
【００５５】
ヒートスプレッダ１９の開口部２０、２０’は、図４に概略的に示されるように細長くてもよい。この場合、開口部２０、２０’は、大腿部１５に対して円周方向２４により大きな直径を示し、ヒートスプレッダ１９のこの方向２４への効率的な熱移動を可能にする。 モータ筐体１７は、大腿部１５の軸方向２５に対応する垂直方向２５に細長くなる。
【００５６】
ヒートスプレッダ１９は、大腿部１５の形状に適合するように湾曲及び／又は可撓性であってもよい。例えば、ヒートスプレッダ１９は、薄片又はパッチを含み得る。 図５は、第１パッチ２６及び第２パッチ２７によって形成されたヒートスプレッダ１９とモータ筐体１７の例示的な断面を示す。パッチ２６、２７は、各々屈曲可能であり、各々が大腿部１５に面する接着底面２８、２９を含む。パッチ２６、２７は、示された実施形態においてモータ筐体１７を包囲し、モータから熱を効率的に引き出す。図示の実施形態では、ヒートスプレッダ１９の接着面は保持手段を形成し、穿刺部位８に対して駆動ユニット７を所定の位置に保持する。したがって、上記のストラップ１６などの別の保持手段は、必要でない場合もあるが、いくつかの実施形態では依然として供給され得る。
【００５７】
ヒートスプレッダ１９の例示的な断面を図６に示す。ヒートスプレッダ１９は多層構造であってもよい。ヒートスプレッダ１９は、ヒートスプレッダ１９の上層を形成するキャリア層３０を含む。キャリア層３０は、エラストマ及び／又はプラスチック材料によって形成されてもよい。接触面の領域を横切る、すなわち図の水平方向における効率的な熱伝達のために、ヒートスプレッダ１９は更に、薄い熱伝導層３１を含み、それは熱伝導率の高い材料、例えば、銅、アルミニウム又は熱分解カーボンの薄層で形成され得る。熱伝導層３１は、不活性及び生体適合性コーティング３２によって両側で囲まれ、生体適合性コーティング３２はパリレン、ポリウレタン、シリコーン、ＰＥＥＫ、又は生体適合性のある、例えば埋め込み可能な金属で作られる。生体適合性コーティング３２は、ヒートスプレッダ１９の開口部２０の内壁の熱伝導層３１を更に覆う。ヒートスプレッダの無段底面は、例えば接着剤を含有する接着層３３によって形成され、ヒートスプレッダ１９を患者の皮膚に貼り付ける。
【００５８】
更に、ヒートスプレッダ１９の、又は駆動ユニット７の汗吸収部分３４を図６に概略的に示す。汗吸収部分は、例えば、織物及び／又は綿で作られてもよい。加えて、ヒートスプレッダ１９又は駆動ユニット７は、ゴム塊４９、４９’を備えたゴム引き領域４８を含み、ヒートスプレッダ１９が穿刺部位８に対してスライドするのを防止する。汗吸収部分３４及びゴム引き領域４８は、ヒートスプレッダ１９の底面全体に均等に分布されてもよい。
【００５９】
モータ３５の概略図を図７に示す。モータ３５はモータ筐体１７の内側に配置され、永久磁石を備えるロータ３６と巻線３８を備えるステータ３７を含む。ロータ３６は、第１軸受３９と第２軸受４０を用いて回転可能に取り付けられ、ステータ３７の巻線を流れる電流により回転され得る。ロータ３６は駆動シャフト３と剛性接続され、プロペラ６を駆動する。
【００６０】
カテーテル２は、モータ筐体１７に剛性接続され、空間４１がカテーテル２と駆動シャフト３との間に形成される。この空間４１は、ロータ３６とステータ３７との間に形成される流体ギャップ４３と、パージ開口部４２と、供給ライン１８と流体接続にある。半径方向における流体ギャップ４３の幅は、０．２〜０．３ｍｍの間であり得る。心臓補助装置１が動作すると、パージ媒体、例えばグルコース溶液が供給ライン１８を介して供給され、流体ギャップ４３を通り、カテーテル２と駆動シャフト３との間の空間４１を通って（そして最終的には 心臓補助装置１の近位端部で患者内に）流れる。
【００６１】
モータ３５の動作中、例えば２Ｗの電力散逸により、モータが加熱される場合がある。熱は、参照番号４４付きの矢印によって概略的に示されるように、モータ３５から除去され、流体ギャップ４３の内側のグルコース溶液の温度を定常動作状態において７５℃で一定に保持する。熱を除去するために、熱は、例えば上述のようにヒートスプレッダ１９を用いて患者の組織４５に伝達されてもよく、例えば筐体１７の冷却ファンを用いて大気４６に伝達されてもよく、又はコンソールもしくはコントローラユニットのヒートシンク４７に、例えば、筐体１７に接続された細長いヒートパイプを介して伝達されてもよい。これらの熱除去機構の任意の組み合わせが可能である。
【００６２】
更に、インダクタ５０は、モータ３５がフルブロック転流で駆動されない場合、渦電流損失を低減するために供給され得る。これらのインダクタ５０は、更にモータ筐体１７の内側に配置し得るが、好ましい実施形態では、インダクタ５０は、モータ３５のコントローラユニットに接続されるモータケーブル１８の端部に（又はコントローラユニット自体に）配置され、モータ３５及び患者の脚部への更なる重量と熱源を回避する。
【００６３】
特に、本出願は、とりわけ、更に以下の態様にも関する。
【００６４】
１．埋め込み型心臓補助ポンプ（４）用の外部駆動ユニット（７）であって、
心臓補助ポンプを駆動するためのモータ（３５）を含み、モータ（３５）は経皮駆動シャフト（３）を介して心臓補助ポンプに接続可能であり、
患者の皮膚に接触するように構成された接触面を備えるヒートスプレッダ（１９）によって特徴付けられ、接触面は熱伝導方法でモータ（３５）に接続され、又は接続可能であり、モータ（３５）によって発生された熱を患者の組織に伝達する、外部駆動ユニット。
【００６５】
２．接触面の表面積が少なくとも２５ｃｍ２、好ましくは少なくとも５０ｃｍ２であることを特徴とする、態様１の駆動ユニット（７）。
【００６６】
３．ヒートスプレッダ（１９）は少なくとも領域において可撓性であることを特徴とする、態様１又は２のいずれか１つの駆動ユニット（７）。
【００６７】
４．ヒートスプレッダ（１９）は薄片又はパッチであることを特徴とする、態様１〜３のいずれか１つの駆動ユニット（７）。
【００６８】
５．ヒートスプレッダ（１９）は熱伝導層（３１）を含み、熱伝導層（３１）は金属、特に銅、アルミニウム、及び／又は熱分解カーボンを含むことを特徴とする、態様１〜４のいずれか１つの駆動ユニット（７）。
【００６９】
６．ヒートスプレッダ（１９）は生体適合性コーティング（３２）を含むことを特徴とする、態様１〜５のいずれか１つの駆動ユニット（７）。
【００７０】
７．ヒートスプレッダ（１９）は皮膚にヒートスプレッダ（１９）を取り付けるための接着面を含むことを特徴とする、態様１〜６のいずれか１つの駆動ユニット（７）。
【００７１】
８．ヒートスプレッダ（１９）は、開口部（２０、２０’）又は凹部を含み、皮膚からの汗の蒸発を可能にすることを特徴とする、態様１〜７のいずれか１つの駆動ユニット（７）。
【００７２】
９．開口部（２０、２０’）は細長いことを特徴とする、態様８の駆動ユニット（７）。
【００７３】
１０．ヒートスプレッダ（１９）は汗吸収材料（３４）、特に織物を含むことを特徴とする、態様１〜９のいずれか１つの駆動ユニット（７）。
【００７４】
１１．モータ（３５）はステータ（３７）と駆動シャフト（３）に接続可能な回転可能に取り付けられたロータ（３６）とを含み、流体ギャップ（４３）はロータ（３６）とステータ（３７）との間に形成され、流体ギャップ（４３）はパージ媒体を流体ギャップ（４３）の中に注入するためのパージ開口部（４２）と流体接続することを特徴とする、態様１〜１０のいずれか１つの駆動ユニット（７）。
【００７５】
１２．流体ギャップ（４３）の幅は最大１ｍｍであることを特徴とする、態様１１の駆動ユニット（７）。
【００７６】
１３．流体ギャップ（４３）の幅は少なくとも０．１ｍｍであることを特徴とする、態様１１又は１２のいずれか１つの駆動ユニット（７）。
【００７７】
１４．ヒートスプレッダ（１９）はヒートパイプを含むことを特徴とする、態様１〜１３のいずれか１つの駆動ユニット（７）。
【００７８】
１５．態様１〜１４のいずれか１つの駆動ユニット（７）及び埋め込み型心臓補助ポンプ（４）を含む、心臓補助装置（１）。
【００７９】
１６．態様１５の心臓補助装置の動作の方法であって、心臓補助ポンプ（４）は駆動シャフト（３）を介して駆動ユニット（７）に接続され、駆動ユニット（７）は心臓補助ポンプ（４）を駆動し、ヒートスプレッダ（１９）の接触面は患者の皮膚に接触し、モータ（３５）によって発生された熱が患者の組織に伝達される、方法。
【００８０】
１７．患者の組織に伝達される熱の量は接触面の表面積の最大８０ｍＷ／ｃｍ２である、態様１６の方法。
【００８１】
１８．駆動ユニット（７）は態様１１による駆動ユニット（７）であり、心臓補助装置（１）は駆動シャフト（３）を取り囲むカテーテル（２）を含み、パージ媒体は流体ギャップ（４３）の中、及びカテーテル（２）の管腔の中、又はカテーテルと駆動シャフト（３）との間の空間（４１）の中に注入される、態様１６又は１７のいずれか１つの方法。
【００８２】
１９．流体ギャップ（４３）内のパージ媒体の温度は定常動作状態で少なくとも５０℃、好ましくは少なくとも６０℃である、態様１８の方法。
【００８３】
２０．流体ギャップ（４３）内のパージ媒体の温度は定常動作状態において、最大で１００℃、好ましくは最大で９０℃である、態様１８又は１９のいずれか１つの方法。
【図１】
2020512899.tif 000003
【図２】
2020512899.tif 000004
【図３】
2020512899.tif 000005
【図４】
2020512899.tif 000006
【図５】
2020512899.tif 000007
【図６】
2020512899.tif 000008
【図７】
2020512899.tif 000009
【国際調査報告】
2020512899.tif 000010
2020512899.tif 000011
2020512899.tif 000012